(57)【要約】【課題】紫外線の強さを容易に把握することのできるカーテンを提供する。【解決手段】カーテン１０は、紫外線を含む光の照射により可逆的に変色する変色部１１を備えている。変色部１１は、紫外線の照射により状態が変化するフォトクロミック化合物を含有し、当該フォトクロミック化合物の状態の変化に基づいて変色するように構成されている。【選択図】図１
2019030589.tif 000002
【特許請求の範囲】
【請求項１】
紫外線を含む光の照射により可逆的に変色する変色部を備え、
変色部は、紫外線の照射により状態が変化するフォトクロミック化合物を含有し、当該フォトクロミック化合物の状態の変化に基づいて変色することを特徴とするカーテン。
【請求項２】
前記フォトクロミック化合物は、ハロゲン化銀、スピロピラン、アゾベンゼン、ジアリールエテン、及びフルギドから選ばれる少なくとも一種であることを特徴とする請求項１に記載のカーテン。
【請求項３】
前記変色部は、紫外線の強さに応じて、複数の色に変化するように構成され、
前記変色部の色と紫外線の強さとの関係を示す色見本部を備えることを特徴とする請求項１又は請求項２に記載のカーテン。
【請求項４】
前記変色部は、変色を生じさせる紫外線の強さ及び帯域の少なくとも一方が異なる部分を有することを特徴とする請求項１〜３のいずれか一項に記載のカーテン。
【請求項５】
前記変色部は、変色を生じさせる紫外線の強さ及び帯域の少なくとも一方が異なる部分を組み合わせることにより所定の模様が構成されていることを特徴とする請求項１〜４のいずれか一項に記載のカーテン。
【発明の詳細な説明】
【技術分野】
【０００１】
本発明は、カーテンに関する。
【背景技術】
【０００２】
近年、住宅の窓等に取り付けて用いられるカーテンに様々な機能を付与する試みが行われている。例えば、特許文献１には、カーテン等に用いられる繊維製品に関して、有機系紫外線吸収剤と、無機系の紫外線吸収剤又は紫外線反射剤とを含有させたポリエステル繊維を用いることにより、紫外線カット性及び採光性を高める技術が開示されている。
【先行技術文献】
【特許文献】
【０００３】
【特許文献１】特開２００６−２９９４３８号公報
【発明の概要】
【発明が解決しようとする課題】
【０００４】
ところで、太陽光に含まれる紫外線の影響を考慮して、紫外線が強いと予測される日中の外出時には、帽子、日傘、サングラス等の紫外線対策が行われている。こうした紫外線対策は、必要時に適切に行うことが好ましいが、実際の紫外線の強さを把握することは難しい。
【０００５】
この発明は、こうした実情に鑑みてなされたものであり、その目的は、紫外線の強さを容易に把握することのできるカーテンを提供することにある。
【課題を解決するための手段】
【０００６】
カーテンは、紫外線を含む光の照射により可逆的に変色する変色部を備え、変色部は、紫外線の照射により状態が変化するフォトクロミック化合物を含有し、当該フォトクロミック化合物の状態の変化に基づいて変色する。前記フォトクロミック化合物は、例えば、ハロゲン化銀、スピロピラン、アゾベンゼン、ジアリールエテン、及びフルギドから選ばれる少なくとも一種である。
【０００７】
上記構成によれば、カーテンを見て、変色部における変色の有無を確認することにより、現在の紫外線の強さを容易に把握することができる。そのため、変色部が変色していることをもって、紫外線対策が必要であると判断することができる。
【０００８】
前記変色部は、紫外線の強さに応じて、複数の色に変化するように構成され、前記変色部の色と紫外線の強さとの関係を示す色見本部を備えることが好ましい。
上記構成によれば、変色部の色を色見本部と比較することにより、カーテンを見るのみで、変色部の色から現在の紫外線の強さの度合を容易に把握することができる。
【０００９】
前記変色部は、変色を生じさせる紫外線の強さ及び帯域の少なくとも一方が異なる部分を有することが好ましい。
上記構成によれば、変色部のいずれの部分が変色しているかを確認することにより、現在の紫外線の強さの度合や種類（帯域）を容易に把握することができる。例えば、最も変色し難い部分が変色している場合には、紫外線が非常に強い状況であると判断することができる。
【００１０】
前記変色部は、変色を生じさせる紫外線の強さ及び帯域の少なくとも一方が異なる部分を組み合わせることにより所定の模様が構成されていることが好ましい。
上記構成によれば、紫外線の強さや帯域に応じて、変色部に表れる模様の柄や色調が様々に変化するようになり、その変化を視覚的に楽しむことができる。
【発明の効果】
【００１１】
本発明によれば、カーテンの状態を見ることにより、紫外線の強さを容易に把握することができる。
【図面の簡単な説明】
【００１２】
【図１】実施形態のカーテンの正面図。
【図２】（ａ）〜（ｃ）は、変色部が変色した状態の実施形態のカーテンの正面図。
【図３】変更例のカーテンの正面図。
【図４】（ａ）〜（ｃ）は、変色部が変色した状態の変更例のカーテンの正面図。
【発明を実施するための形態】
【００１３】
以下、本発明の一実施形態を説明する。
図１に示すカーテン１０は、住宅等の窓に取り付けて用いられるレースカーテンであり、紫外線を含む光の照射により可逆的に変色する変色部１１を備えている。変色部１１は、紫外線の照射により状態が変化するフォトクロミック化合物を含有し、当該フォトクロミック化合物の状態の変化に基づいて変色するように構成されている。
【００１４】
フォトクロミック化合物としては、紫外線の照射により励起されて可逆的に状態変化して変色する（吸収する光の波長等の光物性が異なる状態に変化する）公知の物質を用いることができる。こうしたフォトクロミック化合物としては、例えば、ハロゲン化銀、スピロピラン、アゾベンゼン、ジアリールエテン、及びフルギドが挙げられる。
【００１５】
フォトクロミック化合物の状態変化に基づく変色のパターンは特に限定されるものではなく、無色から有色への変化や有色から無色への変化であってもよいし、有色から有色への変化であってもよいし、それらの組み合わせであってもよい。また、変色のパターンは、同系色における色の濃淡の変化（例えば、水色→青色）であってもよいし、補色等の系統の異なる色への変化（例えば、白色→赤色や、赤色→青色）であってもよい。また、変色のパターンは、紫外線の強さに応じて、段階的に複数の異なる色に変化するものであってもよい（例えば、水色→青色→紺色、白色→赤色→青色）。
【００１６】
変色部１１は、フォトクロミック化合物を担持させた糸を用いて、所定の模様（絵柄、文字、数字等も含む）を編み込む又は織り込むことにより形成されている。フォトクロミック化合物を担持させる糸は特に限定されるものではないが、例えば、アクリル樹脂、ポリエステル樹脂、ナイロン樹脂等の合成繊維、グラスファイバー等の無機繊維からなる糸を用いることが好ましい。担持されるフォトクロミック化合物は一種のみであってもよいし、二種以上であってもよい。
【００１７】
フォトクロミック化合物を糸に担持させる方法としては、例えば、糸を構成する繊維にフォトクロミック化合物を染着させる方法（染色法）、及び接着剤を用いてフォトクロミック化合物を糸に接着する方法、紡糸段階でフォトクロミック化合物を配合する方法が挙げられる。上記接着剤としては、例えば、アクリル系樹脂、エポキシ樹脂、ウレタン樹脂等の光透過性を有する接着剤を用いることが好ましい。また、フォトクロミック化合物は、光透過性ビーズに内包された状態として糸に担持されてもよい。
【００１８】
本実施形態においては、全体が特定色（例えば、白色）のカーテン１０の一部に変色部１１が設けられている。そして、変色部１１には、変化前（紫外線が照射されていない状態）の色が上記特定色と同じ色であり、紫外線の強さに応じて、段階的に複数の異なる色に変化するフォトクロミック化合物が含有されている。
【００１９】
したがって、図１に示すように、紫外線が照射されていない状態では、変色部１１は、カーテン１０における他の部位（背景色）と同化して見える。そして、変色部１１は、紫外線が照射されることにより、図２（ａ）に示す第１変化色（例えば、水色）に変化し、照射された紫外線が強くなるにしたがって、図２（ｂ）に示す第２変化色（例えば、青色）、図２（ｃ）に示す第３変化色（例えば、紺色）に順に変化する。
【００２０】
また、図１に示すように、カーテン１０は、変色部１１の色と紫外線の強さとの関係を示す色見本部１２を備えている。色見本部１２は、上記第１変化色と同じ色に着色された着色部分１２ａ、第２変化色と同じ色に着色された着色部分１２ｂ、第３変化色と同じ色に着色された着色部分１２ｃを有するとともに、左側から右側に向かって着色部分１２ａ，１２ｂ，１２ｃが順に並べられている。
【００２１】
次に、本実施形態の作用及び効果について説明する。
（１）カーテン１０は、紫外線を含む光の照射により可逆的に変色する変色部１１を備えている。変色部１１は、紫外線の照射により状態が変化するフォトクロミック化合物を含有し、当該フォトクロミック化合物の状態の変化に基づいて変色するように構成されている。
【００２２】
上記構成によれば、一定以上の強さの紫外線が含まれている太陽光がカーテン１０に照射されると、変色部１１の色が変化する。そして、紫外線が弱くなる等により、紫外線が照射されている状態が解消されると、変色部１１は元の色に戻る。
【００２３】
そのため、カーテン１０を見て、変色部１１における変色の有無を確認することにより、現在の紫外線の強さを容易に把握することができる。したがって、変色部１１が変色していることをもって、紫外線対策が必要であると判断することができる。
【００２４】
（２）変色部１１は、紫外線の強さに応じて、複数の色に変化するように構成されている。カーテン１０は、変色部１１の色と紫外線の強さとの関係を示す色見本部１２を備えている。
【００２５】
上記構成によれば、変色部１１の色を色見本部１２と比較することにより、カーテン１０を見るのみで、変色部１１の色から現在の紫外線の強さの度合を容易に把握することができる。具体的には、図２（ａ）に示すように、変色部１１の色が、色見本部１２における左側に位置する着色部分１２ａの色に近い色である場合には、紫外線がやや強いと判断することができる。図２（ｂ）に示すように、変色部１１の色が、色見本部１２における中央に位置する着色部分１２ｂの色に近い色である場合には、紫外線が強いと判断することができる。図２（ｃ）に示すように、変色部１１の色が、色見本部１２における右側に位置する着色部分１２ｃの色に近い色である場合には、紫外線が非常に強いと判断することができる。
【００２６】
（３）カーテン１０は、レースカーテンである。
レースカーテンは、日中に閉じた状態で使用されることから、太陽光が当たりやすく、変色部１１を効率的に変色させることができる。
【００２７】
なお、本実施形態は、次のように変更して具体化することも可能である。
・変色部１１は、フォトクロミック化合物を担持させた糸を織り込む又は編み込むことにより構成されるものに限定されない。例えば、カーテン１０を構成する生地に対して、フォトクロミック化合物を含有する塗料等を塗布又は印刷することや、当該塗料で染色することにより変色部１１を形成してもよい。
【００２８】
・カーテン１０における変色部１１の配置やデザインを変更してもよい。例えば、カーテン１０の全面を変色部１１として、紫外線の照射によってカーテン１０全体の色が変化するように構成してもよい。
【００２９】
・変色部１１における変色後の色は、フォトクロミック化合物に基づく色と、カーテン１０の素材の色とが組み合わされてなる色であってもよい。これにより、様々な色調を表現することが可能になる。
【００３０】
例えば、フォトクロミック化合物を含有し、紫外線の照射によって青色から赤色に変化する経糸と、青色透明の緯糸とからなる織物により変色部１１を形成する。この場合、変色部１１は、紫外線の照射によって、青色（青色＋青色透明）から紫色（赤色＋青色透明）に変化したように見える。
【００３１】
また、変色部１１を、下地となる第１層と、第１層の上に設けられ、紫外線の照射によって、有色から無色に変化するフォトクロミック化合物を含有する第２層とを有する構成とする。この場合、変色部１１は、紫外線の照射によって、第２層が透明になることにより、第１層の色や模様等が透けて見える。
【００３２】
・カーテン１０における色見本部１２の配置やデザインを変更してもよい。例えば、変色部１１の変色前の色と同じ色に着色された着色部分を有していてもよい。また、「大」「中」「小」等の各着色部分に対応する紫外線の強さを示す表示部を設けてもよい。また、カーテン１０の品質表示用のタグ等に色見本部１２を設けてもよい。また、色見本部１２に代えて、取扱説明書等のカーテン１０に付属する物品に色見本を設けてもよい。
【００３３】
・変色部１１は、変色を生じさせる紫外線の強さが異なる部分を有するものであってもよい。変色部１１における変色を生じさせる紫外線の強さは、例えば、フォトクロミック化合物の種類や含有量等を異ならせることにより調整することができる。
【００３４】
例えば、図３に示すように、カーテン１０に対して、変色を生じさせる紫外線の強さがそれぞれ異なる第１変色部１１ａ、第２変色部１１ｂ、及び第３変色部１１ｃを設ける。第１変色部１１ａは、紫外線の強さが第１閾値以上である場合に変色するように構成されている。第２変色部１１ｂは、紫外線の強さが第１閾値よりも高い第２閾値以上である場合に変色するように構成されている。第３変色部１１ｃは、紫外線の強さが第２閾値よりも高い第３閾値以上である場合に変色するように構成されている。
【００３５】
この場合には、第１変色部１１ａ、第２変色部１１ｂ、及び第３変色部１１ｃのいずれの変色部が変色しているかを確認することにより、現在の紫外線の強さの度合を容易に把握することができる。具体的には、図４（ａ）に示すように、第１変色部１１ａのみが変色している場合には、紫外線がやや強いと判断することができる。図４（ｂ）に示すように、第１変色部１１ａ及び第２変色部１１ｂのみが変色している場合には、紫外線が強いと判断することができる。図４（ｃ）に示すように、第１変色部１１ａ、第２変色部１１ｂ、及び第３変色部１１ｃの全てが変色している場合には、紫外線が非常に強いと判断することができる。
【００３６】
・変色部１１は、変色を生じさせる紫外線の帯域が異なる部分を有するものであってもよい。変色部１１における変色を生じさせる紫外線の帯域は、例えば、フォトクロミック化合物の種類の選択により調整することができる。この場合には、変色部１１のいずれの部分が変色しているかを確認することにより、現在の紫外線の種類（帯域）を容易に把握することができる。
【００３７】
・変色部１１は、変色を生じさせる紫外線の強さ及び帯域の少なくとも一方が異なる部分を組み合わせることにより所定の模様が構成されるものであってもよい。この場合には、紫外線の強さや帯域に応じて、変色部１１に表れる模様の柄や色調が様々に変化するようになり、その変化を視覚的に楽しむことができる。
【００３８】
・カーテン１０の種類は、レースカーテンに限定されるものではなく、光透過性を有するカーテンであれば、同様の効果が得られる。また、カーテン１０は、住宅の窓用のカーテンに限定されるものではなく、車両の窓等のその他の用途に用いられるものであってもよい。
【００３９】
・参考例として記載するものであるが、壁紙等の内装材について、紫外線を含む光の照射により可逆的に変色する変色部を備え、変色部は、紫外線の照射により状態が変化するフォトクロミック化合物を含有し、当該フォトクロミック化合物の状態の変化に基づいて変色する、というように構成した場合にも、同様の効果が得られる。
【００４０】
例えば、壁紙に具体化する場合、裏側に配置される裏打ち紙等からなる基材層と、表側に配置される装飾層とを備える壁紙とし、装飾層に対して、フォトクロミック化合物を含有する塗料等が塗布又は印刷された変色部１１を設ける。また、装飾層が編織物で構成される場合には、編織物をフォトクロミック化合物により染色することや、編織物を構成する糸としてフォトクロミック化合物を担持させた糸を用いることによって変色部１１を設けることもできる。
【符号の説明】
【００４１】
１０…カーテン、１１…変色部、１１ａ…第１変色部、１１ｂ…第２変色部、１１ｃ…第３変色部、１２…色見本部。
【図１】
2019030589.tif 000003
【図２】
2019030589.tif 000004
【図３】
2019030589.tif 000005
【図４】
2019030589.tif 000006